(57)【要約】【課題】仕切部が所定の位置で確実に折り曲げられ、組立不良の発生が防止される包装用仕切を提供する。【解決手段】底板１に内側板２及び外側板３を順次連設し、底板１の側部から内側板２へ切目を入れて、並行する複数の仕切部６を形成し、各仕切部６に幅方向の折目７を入れ、内側板２と外側板３とを重ね合わせて側壁１１を形成し、底板１から側壁１１を起立させて、並行する仕切部６を折目７沿いに屈曲させつつ同時に立ち上がらせる包装用仕切において、前記並行する仕切部６の基部間を繋いで連結櫛状部８を形成し、連結櫛状部８の隣り合う仕切部６間に、上端を軸に揺動する繋部付きの押下片９を設け、外側板３に連結櫛状部８に対応する切込を入れて、下端を軸に揺動する押込片１０を設ける。【選択図】図４
2005206220.tif 000002
【特許請求の範囲】
【請求項１】
底板に内側板及び外側板を順次連設し、底板の側部から内側板へ切目を入れて、並行する複数の仕切部を形成し、各仕切部に幅方向の折目を入れ、内側板と外側板とを重ね合わせて側壁を形成し、底板から側壁を起立させて、並行する仕切部を折目沿いに屈曲させつつ同時に立ち上がらせる包装用仕切において、前記並行する仕切部の基部間を繋いで連結櫛状部を形成したことを特徴とする包装用仕切。
【請求項２】
前記連結櫛状部の隣り合う仕切部間に、上端を軸に揺動する繋部付きの押下片を設けたことを特徴とする請求項１に記載の包装用仕切。
【請求項３】
前記外側板に連結櫛状部に対応する切込を入れて、下端を軸に揺動する押込片を設けたことを特徴とする請求項１又は２に記載の包装用仕切。
【発明の詳細な説明】
【技術分野】
【０００１】
この発明は、缶詰食品のギフト包装等に使用する仕切に関するものである。
【背景技術】
【０００２】
例えば、ギフト包装として、図９に示すように、海苔を詰めた長い円筒状の缶Ｌと、かに等の水産加工物を詰めた短い円筒状の缶Ｓとを身箱Ｂに詰め合わせる際、身箱Ｂに仕切Ｐをセットして、缶Ｌと缶Ｓの収納空間を区画する。
【０００３】
この仕切Ｐは、図７に示すような段ボールのブランクから組み立てられる。このブランクでは、底板５１の両側に内側板５２、外側板５３及び貼着片５４が順次連設され、底板５１の両側部から内側板５２へ切目５５が入れられて、その間に仕切部５６が３本ずつ並行するように形成されている。各仕切部５６には、幅方向の折目５７が入れられている。
【０００４】
このようなブランクは、図８に示すように、内側板５２の裏面に外側板５３を重ねて側壁５８を形成し、貼着片５４を底板５１の裏面に貼り付けた状態で保管しておき、使用に際し、底板５１から側壁５８を起立させて、並行する仕切部５６を折目５７沿いに屈曲させつつ同時に立ち上がらせるようにする。
【発明の開示】
【発明が解決しようとする課題】
【０００５】
しかしながら、上記のような仕切Ｐでは、組み立てる際、底板５１から側壁５８を起立させたとき、仕切部５６が所定の折目５７に沿って折れ曲がらず、底板５１と折目５７の間で折れ曲がってしまうことがあり、組立不良が発生しやすいという問題がある。
【０００６】
そこで、この発明は、仕切部が所定の位置で確実に折り曲げられ、組立不良の発生が防止される包装用仕切を提供しようとするものである。
【課題を解決するための手段】
【０００７】
上記課題を解決するため、この発明は、底板に内側板及び外側板を順次連設し、底板の側部から内側板へ切目を入れて、並行する複数の仕切部を形成し、各仕切部に幅方向の折目を入れ、内側板と外側板とを重ね合わせて側壁を形成し、底板から側壁を起立させて、並行する仕切部を折目沿いに屈曲させつつ同時に立ち上がらせる包装用仕切において、前記並行する仕切部の基部間を繋いで連結櫛状部を形成したのである。
【０００８】
また、前記連結櫛状部の隣り合う仕切部間に、上端を軸に揺動する繋部付きの押下片を設けたのである。
【０００９】
さらに、前記外側板に連結櫛状部に対応する切込を入れて、下端を軸に揺動する押込片を設けたのである。
【発明の効果】
【００１０】
上記のように、この発明に係る包装用仕切では、並行する仕切部の基部間を繋いで連結櫛状部を形成し、組立時に無理な力が加わりやすい部分を補強しているので、仕切部が不規則に折れ曲がることがなく、組立不良の発生が防止される。
【００１１】
また、連結櫛状部の隣り合う仕切部間に、上端を軸に揺動する繋部付きの押下片を設けると、連結櫛状部が一体化され、製造時のトラブルが防止されるほか、押下片の繋部が商品の挿入に伴い切断されるので、包装作業性が低下することもない。
【００１２】
また、外側板に押込片を設けると、押込片を押し込むことにより、連結櫛状部の中間部が一斉かつ均等に押されるので、組立時の作業性及び安定性が向上する。
【発明を実施するための最良の形態】
【００１３】
以下、この発明の実施形態を添付図面に基づいて説明する。
【００１４】
この仕切の段ボール製ブランクでは、図１に示すように、底板１の両側に内側板２、外側板３及び貼着片４が順次連設され、底板１の両側部から内側板２へ切目５を入れて、仕切部６が３本ずつ並行するように形成されている。各仕切部６には、幅方向の折目７が入れられ、並行する仕切部６の基部間は繋がれて、連結櫛状部８が形成されている。
【００１５】
連結櫛状部８の隣り合う仕切部６の間には、内側板２と外側板３の境界を基端とする押下片９が設けられ、押下片９の両側縁には繋部が設けられている。
【００１６】
外側板３には、連結櫛状部３に対応する位置にコ字状の切込を入れて、貼着片４との境界を基端とする押込片１０が設けられ、その周縁には複数の繋部が設けられている。
【００１７】
このようなブランクは、図２に示すように、使用に先立って、内側板２の裏面に外側板３を重ねて側壁１１を形成し、貼着片４を底板１の裏面に貼り付けた扁平な折畳状態としておく。この状態では、仕切部６と押下片９とが繋がれているので、仕切部６や押下片９が折れたり捲れたりするトラブルが防止される。
【００１８】
そして、使用に際し、図３及び図５に示すように、底板１から側壁１１を起立させ、押込片１０を内側へ押し込んで、その周縁の繋部を切断し、並行する仕切部６を折目７沿いに屈曲させつつ同時に立ち上がらせる。
【００１９】
このとき、並行する仕切部６が基部で繋がれて連結櫛状部８が形成され、仕切部６の両側縁間も押下片９で繋がれて連結櫛状部８が一体化されているので、仕切部６が効果的に補強されて不規則に折れ曲がることがなく、組立不良の発生が防止される。
【００２０】
また、押込片１０を押し込むことにより、連結櫛状部８の中間部が一斉かつ均等に押されるので、並行する全ての仕切部６が確実に折目７の位置で折れ曲がり、組立時の作業性及び安定性が向上する。
【００２１】
その後、図４及び図６に示すように、缶Ｓを仕切部６で区画された部分に押し込むと、押下片９は繋部が切断されて押し下げられるので、包装作業性が低下することもなく、押下片９が反発により缶Ｓに密着して、缶Ｓはがたつくことなく保持される。
【図面の簡単な説明】
【００２２】
【図１】この発明の実施形態に係る仕切のブランクを示す図
【図２】同上の折畳状態の斜視図
【図３】同上の組立状態の斜視図
【図４】同上の商品収納状態の斜視図
【図５】同上の組立状態の縦断側面図
【図６】同上の商品収納状態の縦断側面図
【図７】従来の仕切のブランクを示す図
【図８】同上の組立状態の斜視図
【図９】仕切を用いたギフト包装を示す斜視図
【符号の説明】
【００２３】
１  底板
２  内側板
３  外側板
４  貼着片
５  切目
６  仕切部
７  折目
８  連結櫛状部
９  押下片
１０  押込片
１１  側壁
【図１】
2005206220.tif 000003
【図２】
2005206220.tif 000004
【図３】
2005206220.tif 000005
【図４】
2005206220.tif 000006
【図５】
2005206220.tif 000007
【図６】
2005206220.tif 000008
【図７】
2005206220.tif 000009
【図８】
2005206220.tif 000010
【図９】
2005206220.tif 000011